(57)【特許請求の範囲】
【請求項１】
エアの供給と排出により膨張収縮する膨張収縮部が形成されたエアバッグを備えるエアマッサージ機であって、
施術を行う施術位置に備えられる１個の施術用膨張収縮部と、該施術用膨張収縮部を支えて前記施術用膨張収縮部の平面視位置を膨張の前後で同じ位置に規制しつつ前記施術用膨張収縮部を真っ直ぐ持ち上げる規制用膨張収縮部を備えたエアバッグユニットを有し、
前記施術用膨張収縮部が、前記規制用膨張収縮部の膨張によって押し上げられて上昇する面を下面全体に有するとともに、上面に前記規制用膨張収縮部または前記施術用膨張収縮部の膨張で上昇する施術点を有し、
前記エアバッグユニットが、１個の前記施術用膨張収縮部に対して、相対向する近接状態で均等に配設された複数の前記規制用膨張収縮部を有するものである
エアマッサージ機。
【請求項２】
前記エアバッグユニットが、１個の前記施術用膨張収縮部に対して２個の前記規制用膨張収縮部を有するものである
請求項１に記載のエアマッサージ機。
【請求項３】
前記施術用膨張収縮部の側部に、設置面に固定される固定片を有し、前記規制用膨張収縮部が膨張したときに前記施術用膨張収縮部を膨張前の位置にとどめる延設部が形成された
請求項１または請求項２に記載のエアマッサージ機。
【発明の詳細な説明】
【技術分野】
【０００１】
この発明は、エアバッグの膨張と収縮により人体をマッサージするエアマッサージ機に関し、より詳しくは、膨張収縮のストローク（一動き）を長くできるようなエアマッサージ機に関する。
【背景技術】
【０００２】
エアバッグの膨張量はエアバッグ内の気室の容積や形状によって決まるので、気室の容積を大きくすれば膨張収縮のストロークを長くすることができる。しかし、マッサージするには短時間で膨張収縮することが必要である。
【０００３】
このため、膨張収縮のストロークを長くするのに２枚のエアバッグを重ね合わせることが行われている。下記特許文献１に開示されているマッサージ装置の尻用マッサージユニットでは、施療部材の可動支持板の下に２枚のエアバッグが、エアバッグの片側を固定した重合状態で備えられている（特許文献１の段落［００５１］、［００５３］、図５参照）。
【０００４】
この構成により、施療部材を短時間で大きく傾けることができ、より効果的なマッサージができる。
【先行技術文献】
【特許文献】
【０００５】
【特許文献１】特開２００５−５８５６３号公報
【発明の概要】
【発明が解決しようとする課題】
【０００６】
しかし、エアバッグを二重にして片側を固定する前述の構造は、特許文献１のように挟むような施術を行う場合にはよいが、上のエアバッグの最も膨らむ部分（施術点）が、エアバッグの膨張に伴って片側に傾くので、収縮状態と膨張状態を比較すると、偏平なエアバッグをその面方向に垂直な方向から見たときに前述の施術点が大きくずれる。つまり、平面視位置に大きなずれが生じる。
【０００７】
このため特許文献１に開示されているような構成は、例えば人体を下から真っ直ぐに押圧するような施術には不適切である。
【０００８】
一方、平面視位置に大きなずれが生じないように重ね合わせた２枚のエアバッグを、片側ではなく両側を固定した構造とすると、上のエアバッグが膨張した際においてエアバッグの両側が拘束されることにより上下方向の移動量が制限を受けるので、膨張収縮のストロークを長くすることはできない。他方、上のエアバッグの膨張が自由に行われるようにすると、上のエアバッグの安定性が悪く、結局のところ施術点にずれが生じてしまうことになる。
【０００９】
そこで、この発明は、エアバッグの膨張収縮に伴って施術点の位置ずれがない上に、膨張収縮ストロークを長くできるようにすることを主な目的とする。
【課題を解決するための手段】
【００１０】
そのための手段は、エアの供給と排出により膨張収縮する膨張収縮部が形成されたエアバッグを備えるエアマッサージ機であって、施術を行う施術位置に備えられる１個の施術用膨張収縮部と、該施術用膨張収縮部を支えて前記施術用膨張収縮部の平面視位置を膨張の前後で同じ位置に規制しつつ前記施術用膨張収縮部を真っ直ぐ持ち上げる規制用膨張収縮部を備えたエアバッグユニットを有し、前記施術用膨張収縮部が、前記規制用膨張収縮部の膨張によって押し上げられて上昇する面を下面全体に有するとともに、上面に前記規制用膨張収縮部または前記施術用膨張収縮部の膨張で上昇する施術点を有し、前記エアバッグユニットが、１個の前記施術用膨張収縮部に対して、相対向する近接状態で均等に配設された複数の前記規制用膨張収縮部を有するものであるエアマッサージ機である。
【００１１】
前記膨張収縮部は、１枚のエアバッグに１個有するものでも、複数個有するものでもいずれでもよい。
【００１２】
また前記「平面視位置」とは、偏平なエアバッグをその面方向に垂直な方向から見たときの位置である。
【００１３】
この構成によると、施術にあたってエアバッグユニットの規制用膨張収縮部と施術用膨張収縮部にエアを供給すると、それぞれ膨張する。規制用膨張収縮部の膨張は、施術用膨張収縮部の平面視位置を規制し、位置ずれを抑制しながら、施術用膨張収縮部を真っ直ぐ上に上昇させる。施術用膨張収縮部は膨張しながら人体を押圧して施術を行う。所定の押圧後に規制用膨張収縮部と施術用膨張収縮部からエアを排出すると、これらの膨張収縮部は収縮して、つぎの膨張に備える。
【発明の効果】
【００１４】
この発明によれば、規制用膨張収縮部が施術用膨張収縮部の平面視位置を規制しつつ施術用膨張収縮部を上昇させるので、施術用膨張収縮部が施術位置からずれるのを防止できる。このため、施術において施術点がずれることはなく、例えば人体を下から押圧するような施術に好適である。
【００１５】
しかも、施術用膨張収縮部は規制用膨張収縮部によって持ち上げられるので、エアバッグユニット全体として膨張収縮ストロークを長くとることができる。このため、十分に効果的なマッサージを所望に応じて行うことができる。
【図面の簡単な説明】
【００１６】
【図１】マット型のエアマッサージ機の内部構造を示す一部破断平面図。
【図２】エアマッサージ機の制御構成を示す説明図。
【図３】エアバッグユニットの平面図と正面図。
【図４】他の例に係るエアバッグユニットの平面図。
【図５】他の例に係るエアバッグユニットの平面図と一部破断正面図。
【図６】他の例に係るエアバッグユニットの平面図と一部破断正面図。
【図７】他の例に係るエアバッグユニットの平面図。
【図８】他の例に係るエアバッグユニットの平面図。
【図９】他の例に係るエアバッグユニットの平面図。
【図１０】他の例に係るマット型のエアマッサージ機の内部構造を示す一部破断平面図。
【図１１】他の例に係るエアバッグユニットの平面図。
【図１２】椅子型のエアマッサージ機の斜視図。
【発明を実施するための形態】
【００１７】
この発明を実施するための一形態を、以下図面を用いて説明する。  
図１は、エアマッサージ機１１の一例としてのマット型のエアマッサージ機１１ａの内部構造を示す一部破断平面図であり、図２はエアマッサージ機１１の制御構成を示す説明図である。
【００１８】
これらの図に示すように、エアマッサージ機１１，１１ａは、エアの供給と排出により膨張収縮する膨張収縮部２１が形成された複数のエアバッグ２２と、これらのエアバッグ２２を載置するマット部３１と、このマット部３１と前記エアバッグ２２を覆う被覆部材４１と、前記エアバッグ２２に適宜個数設けられた給排気口２３に対する給排気を制御する制御部５１を有している。
【００１９】
前記マット部３１は、周知のウレタン等の材料が適宜用いられて、人体Ｘの全身を寝かせられる大きさの平面視長方形状に形成されている。
【００２０】
前記被覆部材４１も、周知の適宜の材料が用いられて、前記マット部３１を被覆できる大きさに形成されている。
【００２１】
前記エアバッグ２２は、合成樹脂製シートからなる偏平な袋状で、シート状やチューブ状のシートを適宜溶着して構成され、少なくとも１個の前記膨張収縮部２１を有する。これらのエアバッグ２２は、前記マット部３１上の所定位置に配設されている。
【００２２】
ここで、前記エアバッグ２２には、単独で配設されるものと、組み合わせてエアバッグユニット２５として配設されるものがある。
【００２３】
単独で配設されるエアバッグ２２には周知の適宜のエアバッグを用いる。周知の構成であるので詳しい説明は省略する。エアバッグ２２の前記給排気口２３にはホース（図示せず）接続されて、エアの供給と排出が行われる。このようなエアバッグ２２は、前記マット部３１における人体の頭部と両腕部と両脚部に対応する位置に配設されている。
【００２４】
一方、エアバッグユニット２５として配設されるエアバッグ２２は、人体Ｘの背中部と腰部と臀部に対応する位置に配設される。
【００２５】
このエアバッグユニット２５は、前記マット部３１における施術を行う施術位置、すなわち前記人体Ｘの背中部と腰部と臀部に対応する位置に備えられる施術用膨張収縮部２１ａと、この施術用膨張収縮部２１ａの下に備えられ、施術用膨張収縮部２１ａの平面視位置を規制しつつ施術用膨張収縮部２１ａを持ち上げる規制用膨張収縮部２１ｂを備える（図２、図３参照）。
【００２６】
具体的には、１個の膨張収縮部（施術用膨張収縮部２１ａ又は規制用膨張収縮部２１ｂ）を有するエアバッグ（施術用エアバッグ２２ａ又は規制用エアバッグ２２ｂ）を３枚用いて一つのエアバッグユニット２５が構成されている。
【００２７】
図３は、そのエアバッグユニット２５の平面図と正面図で、エアバッグユニット２５は、１個の施術用エアバッグ２２ａの下に、相対向する近接状態で均等に配設された２個の規制用エアバッグ２２ｂを有している。
【００２８】
規制用エアバッグ２２ｂは、図３（ａ）に示したように規制用膨張収縮部２１ｂの一側に固定片２６を有し、固定片２６と反対側の部分を相対向させた状態で近接させて同一平面上に固定されている。規制用膨張収縮部２１ｂの下面の中央には内部の気室に連通する前記給排気口２３が形成され、この給排気口２３にホース２７が接続されている。固定片２６の固定はリベット等の適宜の固定手段２８で行われる。
【００２９】
施術用エアバッグ２２ａは、施術用膨張収縮部２１ａの一側に、延設部２９を介して固定片２６を有し、この固定片２６が前記規制用エアバッグ２２ｂの一方と共に固定されている。延設部２９は施術用エアバッグ２２ａを構成するシート材の溶着部分などからなり、延設部２９の長さは、図３（ｂ）に仮想線で示したように、前記規制用エアバッグ２２ｂが膨張したときに施術用膨張収縮部２１ａを膨張前の位置にとどめておける長さである。延設部２９は規制用エアバッグ２２ｂの収縮時には適宜折り曲げられたりして偏平な状態を保つように構成されている。
【００３０】
延設部２９は、図４（ａ）に示したように内側部分に切欠窓２９ａを有した構造であってもよく、図４（ｂ）に示したように伸縮可能とすべく複数本のスリット２９ｂを千鳥状に配設した構成であってもよい。前者の場合には規制用エアバッグ２２ｂの収縮時にごわついたり嵩張ったりすることを防げる。後者にあっては、簡易な構成でありながらも柔軟に伸縮可能にすることができる。
【００３１】
施術用膨張収縮部２１ａの下面の中央には内部の気室に連通する前記給排気口２３が形成され、この給排気口２３にホース２７が接続されている。このため、前記規制用エアバッグ２２ｂ間には、少なくともホース２７を通せる隙間が形成されているとよい。
【００３２】
規制用膨張収縮部２１ｂと施術用膨張収縮部２１ａはいずれも平面視方形に形成され、施術用膨張収縮部２１ａは規制用膨張収縮部２１ｂ上で前後左右に均等に跨るように設置される。図３では、施術用膨張収縮部２１ａが規制用膨張収縮部２１ｂに収まる大きさの例を示したが、施術用膨張収縮部２１ａが規制用膨張収縮部２１ｂからはみ出す大きさであってもよい。
【００３３】
また、施術用膨張収縮部２１ａに接続されるホース２７は、図３（ｂ）に仮想線で示したように規制用膨張収縮部２１ｂの膨張に伴って引き出され、収縮に伴って収まるように設けられている。収まるようにするためには、例えばばね等で収まる方向に付勢しておけばよい。
【００３４】
前記制御部５１は、マイクロコンピュータなどで構成され、図２に示したように、操作パネル５２からの入力に従い、かつ、予め記憶させたプログラムに基づいて、エア生成手段５３とこのエア生成手段５３から送られるエアを分配する分配器５４との動作を制御するものである。分配器５４には、前述の各エアバッグ２２（２２ａ，２２ｂ）のホース２７が接続されており、ホース２７ごとにそれぞれ独立してエアの供給と排出が行えるように構成されている。
【００３５】
以上のような構成のエアマッサージ機１１では、次のように使用される。操作パネル５２から入力操作をすると、制御部５１がエア生成手段５３と分配器５４を駆動制御して、各エアバッグ２２（２２ａ，２２ｂ）にエアの供給と排出を行って、エアバッグ２２（２２ａ，２２ｂ）の膨張収縮部２１（２１ａ，２１ｂ）を膨らましたり縮めたりする。膨張収縮部２１（２１ａ，２１ｂ）が適宜のパターンで膨張収縮することによって、エアマッサージ機１１の上にのる人体Ｘの各部は制御パターンに応じた、下からの押圧刺激を受ける。
【００３６】
このとき、エアバッグユニット２５では、次のような動作が行われる。  
制御パターンに応じて規制用膨張収縮部２１ｂと施術用膨張収縮部２１ａはそれぞれ独立して膨張収縮する。膨張には、規制用膨張収縮部２１ｂと施術用膨張収縮部２１ａが同時に膨張する場合や、規制用膨張収縮部２１ｂが施術用膨張収縮部２１ａよりも先行して膨張する場合や、規制用膨張収縮部２１ｂが膨張してから施術用膨張収縮部２１ａが膨張する場合や、施術用膨張収縮部２１ａが膨張してから規制用膨張収縮部２１ｂが膨張する場合がある。同様に、収縮にも、規制用膨張収縮部２１ｂと施術用膨張収縮部２１ａが同時に収縮する場合や、規制用膨張収縮部２１ｂが施術用膨張収縮部２１ａよりも先行して収縮する場合や、規制用膨張収縮部２１ｂが収縮してから施術用膨張収縮部２１ａが収縮する場合や、施術用膨張収縮部２１ａが収縮してから規制用膨張収縮部２１ｂが収縮する場合がある。
【００３７】
膨張に際して２個の規制用膨張収縮部２１ｂは膨張すると、それらの間に施術用膨張収縮部２１ａを安定させて、施術用膨張収縮部２１ａの平面視位置を規制する。同時に、規制用膨張収縮部２１ｂは施術用膨張収縮部２１ａを上昇させる。
【００３８】
一方、施術用膨張収縮部２１ａは膨張すると、規制用膨張収縮部２１ｂに支えられながら、人体Ｘの所定の部位を押圧し、施術を行う。規制用膨張収縮部２１ｂが膨張しきった状態で施術用膨張収縮部２１ａが膨張したときには、膨張高さが最も高くなる。
【００３９】
膨張時には、施術用膨張収縮部２１ａのホース２７と施術用エアバッグ２２ａの延設部２９と固定片２６が、規制用膨張収縮部２１ｂと共に、施術用膨張収縮部２１ａの位置ずれを抑制する。
【００４０】
規制用膨張収縮部２１ｂと施術用膨張収縮部２１ａ、又はこれらのうちの一方のエアを排出すると、押圧が解除又は弱められる。収縮に際しても、規制用膨張収縮部２１ｂは施術用膨張収縮部２１ａの平面視位置を規制する。
【００４１】
このような膨張収縮動作を、適宜のパターンで繰り返したり、強弱をつけたり、速度を変えたり、他のエアバッグユニット２５やエアバッグ２２の動作を連動させることによって、様々なバリエーションに富んだ施術ができる。
【００４２】
施術は、規制用膨張収縮部２１ｂを膨張させた状態で、施術用膨張収縮部２１ａのみを膨張収縮させても行える。この場合には、既に膨張している規制用膨張収縮部２１ｂが、これから膨張する施術用膨張収縮部２１ａをその膨張過程の全体にわたって良好に支える。
【００４３】
このように、施術用膨張収縮部２１ａは規制用膨張収縮部２１ｂで支えられて、位置ずれが抑制されるので、施術点がずれることはなく、所望の箇所への施術が確実に行える。
【００４４】
しかも、施術を行う施術用膨張収縮部２１ａは規制用膨張収縮部２１ｂによって持ち上げられるので、施術用膨張収縮部２１ａの施術点の上昇高さは、施術用膨張収縮部２１ａ単独の場合よりも高くなる。つまり、膨張収縮ストロークを長く取ることができる。その上、上昇高さが高い割に、厚さ方向に２枚のエアバッグを備えているので、膨張収縮にかかる時間も短く、テンポのよい膨張収縮が可能である。
【００４５】
このため、人体Ｘの背中部や腰部、臀部を持ち上げ、反り返らせるような施術が十分に効果的に行える。
【００４６】
また、施術用膨張収縮部２１ａに対して規制用膨張収縮部２１ｂが均等に配設されているので、安定性が良好であり、施術が確実に行える。
【００４７】
以下、その他の例を説明する。この説明において先の構成と同一又は同等の部位については同一の符号を付してその詳しい説明を省略する。
【００４８】
図５は、エアバッグユニット２５の他の例を示す平面図と一部断面正面図である。このエアバッグユニット２５では、施術用膨張収縮部２１ａを有する施術用エアバッグ２２ａの固定片２６を、延設部２９を介して相反する２辺に設けて、これらを規制用エアバッグ２２ｂが並ぶ方向と直交する方向に向けて固定している。なお、前記固定片２６は片方のみに設けられていてもよい。
【００４９】
このような構成のエアバッグユニット２５でも、前述の図３等に示したエアバッグユニット２５と同様の作用効果を有する。また、施術用膨張収縮部２１ａを固定片２６により固定する分、より的確に位置規制を行うことができる。
【００５０】
図６は、エアバッグユニット２５の他の例を示す平面図と一部断面正面図である。このエアバッグユニット２５でも、施術用膨張収縮部２１ａを有する施術用エアバッグ２２ａの固定片２６を、延設部２９を介して相反する２辺に設けて、これらを規制用エアバッグ２２ｂが並ぶ方向と直交する方向に向けて固定している。但し、固定片２６は、規制用エアバッグ２２ｂの下方に固定されている。つまり、固定片２６は規制用エアバッグ２２ｂで覆われている。この場合も、前記固定片２６は片方のみに設けられていてもよい。
【００５１】
このような構成のエアバッグユニット２５でも、前述の図３等に示したエアバッグユニット２５と同様の作用効果を有する。このほかに、施術用エアバッグ２２ａを固定する固定手段２８を隠蔽できるので、施術を受ける人体Ｘに対する感覚を良好にする特別の手段を講じる必要性をなくすことができるという効果も有する。
【００５２】
また、規制用エアバッグ２２ｂにより固定片２６が覆われることにより、固定手段２８も規制用エアバッグ２２ｂにより覆われる。これにより、固定手段２８が人体Ｘに直接的または間接的に接触する際の違和感を低減することができるという効果も有する。
【００５３】
図７は、エアバッグユニット２５の他の例を示す平面図である。このエアバッグユニット２５では、１個の施術用膨張収縮部２１ａに対して縦横に配設された４個の規制用膨張収縮部２１ｂを有する例である。すなわち、それぞれ１個ずつの規制用膨張収縮部２１ｂを有する規制用エアバッグ２２ｂを縦横に２個ずつ突き合わせるように近接して配設し、これら規制用エアバッグ２２ｂの規制用膨張収縮部２１ｂの間の中央に中心を合わせるようにして施術用膨張収縮部２１ａを備えている。施術用膨張収縮部２１ａを有する施術用エアバッグ２２ａは、延設部２９と固定片２６を有する。
【００５４】
このような構成のエアバッグユニット２５では、前述の図３等に示したエアバッグユニット２５と同様の作用効果を有するほか、縦横に配設された４個の規制用膨張収縮部２１ｂを有するので、施術用膨張収縮部２１ａの位置ずれ抑制がより良好に行える。
【００５５】
図８は、エアバッグユニット２５の他の例を示す平面図である。このエアバッグユニット２５は、図７に示したエアバッグユニット２５の施術用エアバッグ２２ａの延設部２９と固定片２６を省略した構成である。
【００５６】
このような構成のエアバッグユニット２５でも、図７に示したエアバッグユニット２５と同様の作用効果を有する。縦横に配設された４個の規制用膨張収縮部２１ｂのために、安定性が良好であるので、部材の小型化等を図ることができる。
【００５７】
また、図８の例では、施術用エアバッグ２２ａの延設部２９と固定片２６とを省略しているので、固定片２６に設けられる固定手段２８が人体Ｘに直接的または間接的に接触することがない。これにより、固定片２６に固定手段２８が設けられる場合とは異なり、固定片２６に起因する違和感をなくすことができるという効果も有する。
【００５８】
図９は、エアバッグユニット２５の他の例を示す平面図である。このエアバッグユニット２５は、図７に示したエアバッグユニット２５の４個の規制用膨張収縮部２１ｂを１枚の規制用エアバッグ２２ｂに備えた構成である。このような規制用エアバッグ２２ｂは、上下２枚のシート部を部分的に相互に溶着して方形状をなす４個の規制用膨張収縮部２１ｂに区切って製造される。この規制用エアバッグ２２ｂは、各規制用膨張収縮部２１ｂ間に膨張のための余裕を持たせて固定される。
【００５９】
このような構成のエアバッグユニット２５でも、図７に示したエアバッグユニット２５と同様の作用効果を有する。
【００６０】
また、４個の規制用膨張収縮部２１ｂの位置を、固定手段２８により、より正確に決めることができるので、各規制用膨張収縮部２１ｂの位置が正確に決まる分、施術用膨張収縮部２１ａの位置決めも、より正確に行うことができるという作用効果を有する。
【００６１】
図１０は、他の例に係るマット型のエアマッサージ機１１ａの内部構造を示す一部破断平面図である。このエアマッサージ機１１ａは、人体Ｘを支えられる大きさで複数の膨張収縮部２１を有した１枚のエアバッグ２２の上に、施術用エアバッグ２２ａを備えた例を示している。施術用エアバッグ２２ａには、施術用膨張収縮部２１ａを１個有するものと複数有するものがある。
【００６２】
すなわち、前記１枚のエアバッグ２２のうち施術用エアバッグ２２ａの施術用膨張収縮部２１ａを支える部分にある膨張収縮部２１が規制用膨張収縮部２１ｂである。そして、前記１枚のエアバッグ２２のうち規制用膨張収縮部２１ｂ以外の膨張収縮部２１が、施術を行う膨張収縮部である。
【００６３】
このような構成のエアバッグユニット２５でも、前述の図３等、図７等に示したエアバッグユニット２５を用いた場合と同様の作用効果を有する。このほか、図１０のマット型のエアマッサージ機１１ａでは、規制用膨張収縮部２１ｂや施術用膨張収縮部２１ａを１枚のエアバッグに複数備えているので、取り付けるエアバッグ２２，２２ａの枚数を少なくできる。このため、マット部３１に対するエアバッグ２２，２２ａの取り付け作業が、多数のエアバッグを個々に取り付ける場合に比して容易で作業性がよいという利点を有する。
【００６４】
図１１は、エアバッグユニット２５の他の例を示す平面図である。このうち図１１（ａ）のエアバッグユニット２５は、１個の施術用膨張収縮部２１ａに対して１個の規制用膨張収縮部２１ｂを備えた構成である。すなわち、前述の構成と同様の施術用膨張収縮部２１ａの下に、穴あきドーナツ状に膨張する規制用膨張収縮部２１ｂを有する規制用エアバッグ２２ｂを備えている。図１１（ａ）中、６１は中心穴で、６２は溶着部分で、６３は放射状に形成された切り込みである。この切り込み６３は、規制用膨張収縮部２１ｂを膨張しやすくする。
【００６５】
この構成では、前述のような効果を有するほか、規制用膨張収縮部２１ｂは穴あきドーナツ状であり、その中央の中心穴６１部分に施術用膨張収縮部２１ａの中央が存在するので、規制用膨張収縮部２１ｂが１個であっても、施術用膨張収縮部２１ａ位置ずれ防止と持ち上げができるという効果も有する。
【００６６】
図１１（ｂ）のエアバッグユニット２５は、規制用膨張収縮部２１ｂを平面視直角三角形に形成し、このような規制用膨張収縮部２１ｂを有する２枚の規制用エアバッグ２２ｂを規制用膨張収縮部２１ｂの直角に対向する長辺部分同士が近接した状態で配置され、その上に施術用膨張収縮部２１ａを有する施術用エアバッグ２２ａを備えた構成である。
【００６７】
この構成では、前述のような効果を有するほか、規制用膨張収縮部２１ｂは前記長辺部分が最も高く膨張するので、エアバッグユニット２５全体の膨張高さを更に高くすることができるという効果を有する。
【００６８】
図１１（ｃ）のエアバッグユニット２５は、１個の施術用膨張収縮部２１ａを複数の規制用膨張収縮部２１ｂで支持する構成であるが、規制用膨張収縮部２１ｂは、相対向する近接状態で均等に配設するのではなく、施術用膨張収縮部２１ａの下に施術用膨張収縮部２１ａの長手方向に沿って一列に並べて設けた構成である。図１１（ｃ）において横長の長方形に形成された施術用膨張収縮部２１ａは長手方向の両側に固定片２６が設けられて、縦長の長方形に形成された規制用膨張収縮部２１ｂも長手方向の両側に固定片が設けられて、これらが直交するように固定されている。
【００６９】
この構成では、前述のような効果を有するほか、施術のバリエーションを増やせるという効果を有する。つまり、規制用膨張収縮部２１ｂの膨張収縮において、施術用膨張収縮部２１ａの平面視位置を規制しつつ持ち上げる作用のほかに、規制用膨張収縮部２１ｂの膨張収縮のタイミングを適宜ずらすことによって、間接的に施術を行う作用や、押圧面を広げる作用を付加することができる。
【００７０】
間接的な施術のためには、例えば複数の規制用膨張収縮部２１ｂを端から順に波が伝播するように膨張収縮させたり、特定の規制用膨張収縮部２１ｂのみを膨張収縮させたりするとよい。押圧面の拡大のためには、膨張高さが低くなりがちな施術用膨張収縮部２１ａの長手方向の両端部に位置する規制用膨張収縮部２１ｂをその他の規制用膨張収縮部２１ｂより大きくしたり、大きく膨張させたりするとよい。
【００７１】
図１２は、エアマッサージ機１１の一例としての椅子型のエアマッサージ機１１ｂの斜視図である。このエアマッサージ機１１ａは、背凭れ部、座部、座部両側の側壁、アームレスト、足のせ部の各部に、前述のようなエアバッグユニット２５が適宜備えられた構成である。
【００７２】
このような構成のエアマッサージ機１１ｂでも、前述のような作用効果が得られる。エアバッグユニット２５の膨張高さが高いので、人体の背中や肩は勿論のこと、特に腕や大腿部の側面と下面、臀部、足裏に対する施術に効果的である。
【００７３】
この発明の構成と前述の構成との対応において、  
この発明の膨張収縮部は、膨張収縮部２１、施術用膨張収縮部２１ａ、規制用膨張収縮部２１ｂに対応し、  
同様に、  
エアバッグは、エアバッグ２２、施術用エアバッグ２２ａ、規制用エアバッグ２２ｂに対応するも、  
この発明は前述の構成のみに限定されるものではなく、その他の形態を採用することができる。
【００７４】
例えば、規制用膨張収縮部は上下に複数備えることもできる。
【００７５】
また、前述のようなマッサージユニットを備えたエアマッサージ機は、例えば人体の局部を施術する小型のマッサージ機などであってもよい。
【符号の説明】
【００７６】
１１…エアマッサージ機
１１ａ…マット型のエアマッサージ機
１１ｂ…椅子型のエアマッサージ機
２１…膨張収縮部
２１ａ…施術用膨張収縮部
２１ｂ…規制用膨張収縮部
２２…エアバッグ
２２ａ…施術用エアバッグ
２２ｂ…規制用エアバッグ
２５…エアバッグユニット
【図１】
0006013010.tif 000002
【図２】
0006013010.tif 000003
【図３】
0006013010.tif 000004
【図４】
0006013010.tif 000005
【図５】
0006013010.tif 000006
【図６】
0006013010.tif 000007
【図７】
0006013010.tif 000008
【図８】
0006013010.tif 000009
【図９】
0006013010.tif 000010
【図１０】
0006013010.tif 000011
【図１１】
0006013010.tif 000012
【図１２】
0006013010.tif 000013